(57)【要約】【課題】掃除を容易にすることができる便器を提供する。【解決手段】便器は、便鉢部１１を有する便器本体１０と、この便器本体１０に取り付けられるカバー３０とを備えている。便器は、便器本体１０とカバー３０との間に形成された隙間７９の開口部７８に埋め込まれ、開口部７８を塞いで段差のない連続した表面を形成する埋め込み部材７０を備えている。【選択図】図４
2015224532.tif 000002
【特許請求の範囲】
【請求項１】
便鉢部を有する便器本体と、この便器本体に取り付けられるカバーとを備えた便器であって、
前記便器本体と前記カバーとの間に形成された隙間の開口部に埋め込まれ、前記開口部を塞いで段差のない連続した表面を形成する埋め込み部材を備えていることを特徴とする便器。
【請求項２】
前記埋め込み部材は、前記便器本体の側面との境界部、及び前記カバーの側面との境界部において、
前記表面が、前記便器本体の側面、及び前記カバーの側面に接するように連続していることを特徴とする請求項１記載の便器。
【請求項３】
前記埋め込み部材は、前記隙間に挿入する挿入部、この挿入部に設けられ、この挿入部が前記隙間に保持されるように、前記隙間を形成した前記便器本体と前記カバーとの対向する側面の一方に係止する係止部、及び前記隙間を塞いで段差のない連続した表面を形成する被覆部を有していることを特徴とする請求項１又は２記載の便器。
【発明の詳細な説明】
【技術分野】
【０００１】
本発明は便器に関するものである。
【背景技術】
【０００２】
特許文献１は従来の便器を開示している。この便器は、便鉢部を有する便器本体と、この便器本体に取り付けられるカバーとを備えている。カバーは、便器本体の前及び左右を覆う側面部と、側面部の上端縁に連続して便鉢部のリムの上面と内周面とを覆う折返し部とを有している。この便器はカバーの裏面にシール材が敷設されている。この便器は、便器本体にカバーを取り付けると、便器本体とカバーとの隙間の開口部にシール材の端部が露出する。このため、この便器は便器本体とカバーとの隙間に小便等が入り込むことを防止することができる。
【先行技術文献】
【特許文献】
【０００３】
【特許文献１】特開２００７−２５５１４５号公報
【発明の概要】
【発明が解決しようとする課題】
【０００４】
しかし、特許文献１の便器は、便器本体にカバーを取り付けた際、シール材は便器本体に当接しているのみである。このため、シール材の端部が露出している便器本体とカバーとの隙間の開口部に小便等が付着すると、シール材と便器本体の境界部の僅かな凹みに小便等が残留し、汚れや悪臭の原因になるおそれがある。また、シール材と便器本体の境界部の僅かな凹みに残留した小便等を拭き掃除等によって除去することは困難である。
【０００５】
本発明は、上記従来の実情に鑑みてなされたものであって、掃除を容易にすることができる便器を提供することを解決すべき課題としている。
【課題を解決するための手段】
【０００６】
本発明の便器は、便鉢部を有する便器本体と、この便器本体に取り付けられるカバーとを備えた便器であって、
前記便器本体と前記カバーとの間に形成された隙間の開口部に埋め込まれ、前記開口部を塞いで段差のない連続した表面を形成する埋め込み部材を備えていることを特徴とする。
【０００７】
この便器は、埋め込み部材が便器本体とカバーとの間に形成された隙間の開口部を塞いで段差のない連続した表面を形成しているため、小便等が便器本体とカバーとの間の隙間の開口部付近に付着しても、拭き掃除等によって小便等を容易に除去することができる。
【０００８】
したがって、本発明の便器は掃除を容易にすることができる。
【図面の簡単な説明】
【０００９】
【図１】実施例１の水洗式便器であって、便器本体とカバーとの組み合わせを示す透視図である。
【図２】実施例１の水洗式便器を示す、前後方向での鉛直断面図である。
【図３】実施例１の水洗式便器を示す、前後方向での鉛直断面の斜視図である。
【図４】図２に示す、Ａ部の拡大断面図である。
【図５】実施例２の水洗式便器の拡大断面図である。
【図６】実施例３の水洗式便器の拡大断面図である。
【図７】実施例４の水洗式便器の拡大断面図である。
【図８】実施例５の水洗式便器の拡大断面図である。
【発明を実施するための形態】
【００１０】
本発明における好ましい実施の形態を説明する。
【００１１】
本発明における前記埋め込み部材は、前記便器本体の側面との境界部、及び前記カバーの側面との境界部において、前記表面が、前記便器本体の側面、及び前記カバーの側面に接するように連続して変化し得る。この場合、便器本体の側面及びカバーの側面とともに埋め込み部材の表面を同時に拭き掃除することができ、小便等の汚れを容易に除去することができる。
【００１２】
本発明における前記埋め込み部材は、前記隙間に挿入する挿入部、この挿入部に設けられ、この挿入部が前記隙間に保持されるように、前記隙間を形成した前記便器本体と前記カバーとの対向する側面の一方に係止する係止部、及び前記隙間を塞いで段差のない連続した表面を形成する被覆部を有し得る。この場合、便器本体とカバーとの間に形成された隙間の開口部から埋め込み部材を容易に取り付けることができる。
【００１３】
次に、本発明の便器を具体化した実施例１〜５について、図面を参照しつつ説明する。
【００１４】
＜実施例１＞
実施例１の水洗式便器は、図１〜図３に示すように、便器本体１０と、カバー３０と、保持部材５０と、埋め込み部材７０とを備えている。便器本体１０は、図２に示すように、便鉢部１１と、便鉢部１１の下流側に連通する排水路１５とを有している。便器本体１０は、便鉢部１１の上端縁に形成されたリム通水路１２を有している。リム通水路１２は、洗浄水を供給するリム用給水管１３が連通している（図３参照）。便器本体１０は、リム通水路１２の上部に連続して、略水平方向で内向きに突出したリム１４を有している。リム１４は中空部１４Ａを有している。リム１４の内周面２７が形成している開口は便器本体１０の上方から見た上面視において略楕円形状をなしている。排水路１５は、図２に示すように、上流端下部１６にジェットノズル１７が取り付けられている。ジェットノズル１７は洗浄水を供給するジェット用給水管１８が接続されている。ジェット用給水管１８は、上流端の流入口１９が便器本体１０の後部にブラケット２０によって固定され、上方を向いて開口している。また、リム用給水管１３は、図３に示すように、上流端の流入口２１が、ジェット用給水管１８の上流端の流入口１９に並んで便器本体１０の後部にブラケット２０によって固定され、上方を向いて開口している。便器本体１０は排水路１５の下面に防露材２２が取り付けられている。
【００１５】
便器本体１０は、図２及び図３に示すように、リム１４の内周面２７の上端から外側に略水平方向に連続して広がって形成された上面２３を有している。便器本体１０は上面２３の前及び左右の外縁に連続して下方に延びた台座部２４を有している。台座部２４は便鉢部１１の前及び左右を覆っている。台座部２４は、この水洗式便器を設置した際、下端縁２５と設置面５１とが当接する。
【００１６】
便器本体１０は、図１に示すように、上面２３の後端部に貫設された１対の貫通孔２６を有している。これら貫通孔２６は便器本体１０の左右中心線に対して対称位置に貫設されている。貫通孔２６は、図示しない便座ボックスの固定に利用される。便座ボックスは図示しない便座及び便蓋を回動自在に軸支している。便器本体１０は上面２３の後端縁７４の近傍に設けられた３個の取付孔２９を有している。これら取付孔２９はブラケット２０の固定に利用される。
【００１７】
カバー３０は、図１〜図３に示すように、上面部３１、垂下片３２、側壁部３３を有している。上面部３１の外縁形状は、カバー３０と便器本体１０とを組み合わせた際に、外縁形状が、便器本体１０の前方に位置する前端縁３４と便器本体１０の上面２３の後端に位置する後端縁３５が略平行で、前端縁３４より後端縁３５の方が左右方向に広い略台形形状をなしている。カバー３０は上面部３１の後端縁３５が左右両端より前方に凹んだ切り欠き部３６を有している。切り欠き部３６は、便器本体１０の上面２３の後端縁７４と同一の形状をなしており、カバー３０と便器本体１０とを組み合わせた際に一致する。
【００１８】
カバー３０は左右中心線に対して対称位置に貫設された一対の第１孔部３９を有している。これら第１孔部３９は、カバー３０と便器本体１０とを組み合わせた際、便器本体１０の貫通孔２６に一致する。カバー３０は後端縁３５の近傍に貫設された３個の第２孔部４０を有している。これら第２孔部４０は、カバー３０と便器本体１０とを組み合わせた際、便器本体１０の取付孔２９に一致する。
【００１９】
上面部３１は、図１に示すように、カバー３０と便器本体１０とを組み合わせた際に、リム１４の内周面２７に相当する位置に開口したカバー開口部３７を有している。カバー開口部３７はリム１４の内周面２７よりも内側近傍に位置し、便器本体１０の上方から見た上面視において略楕円形状をなしている。垂下片３２は、カバー開口部３７の内周縁から内向きに垂下して延びている。
【００２０】
側壁部３３は、カバー３０の上面部３１の外縁の前及び左右から連続して下方に延び、外側に膨らんだ湾曲形状をなしている。側壁部３３は下方に行くに従い内側に入り込んでいる。また、側壁部３３は後方に向けて開口している。側壁部３３は、カバー３０と便器本体１０とを組み合わせた際、内周面と台座部２４の外周面とが離れている。
【００２１】
保持部材５０は、カバー３０の側壁部３３の内周面と便器本体１０の台座部２４の外周面との間に隙間なく充填されている。保持部材５０は、発泡材であるウレタンフォームで形成されており、カバー３０よりも軟らかい。保持部材５０は、液体状もしくはムース状のウレタンフォームが発泡固化したものである。保持部材５０である発泡固化したウレタンフォームは、カバー３０の側壁部３３の内周面と、便器本体１０の台座部２４の外周面との間の空間において、空間の下部は満たさない。
【００２２】
隙間７９は、便器本体１０のリム１４の内周面２７とカバー３０の垂下片３２との間を離間させて形成される。リム１４の内周面２７の下端側とカバー３０の垂下片３２の下端側との間は下方に開放され、開口部７８を形成している。開口部７８は一筋状で、環状のスリット状となっている（図４参照）。埋め込み部材７０は、図２〜図４に示すように、便器本体１０のリム１４の内周面２７とカバー３０の垂下片３２との隙間７９に埋め込まれている。埋め込み部材７０は、熱硬化性樹脂であるエポキシ樹脂で形成されている。埋め込み部材７０は隙間７９の上部を満たしていない。
【００２３】
埋め込み部材７０は次のようにして便器本体１０のリム１４の内周面２７とカバー３０の垂下片３２との隙間７９に埋め込まれる。先ず、硬化前のエポキシ樹脂を便器本体１０のリム１４の内周面２７とカバー３０の垂下片３２との隙間７９の下端に開口した開口部７８から注入する。次に、開口部７８を塞いで段差のない連続した表面を形成するように開口部７８からはみ出した硬化前のエポキシ樹脂を平坦に均す。次に、エポキシ樹脂を硬化させる。このようにして埋め込み部材７０は形成される。
【００２４】
また、便器本体１０のリム１４の下面２８と埋め込み部材７０の表面７７との境界部（便器本体１０の側面と埋め込み部材７０との境界部）、及びカバー３０の垂下片３２の下端縁３８と埋め込み部材７０の表面７７との境界部（カバー３０の側面と埋め込み部材７０との境界部）において、埋め込み部材７０の表面７７が便器本体１０のリム１４の下面２８、及びカバー３０の垂下片３２の下端縁３８と連続している。つまり、埋め込み部材７０の表面７７と、便器本体１０のリム１４の下面２８と、カバー３０の垂下片３２の下端縁３８とは同一平面に連続して形成されている。
【００２５】
このような構成を有する水洗式便器は、埋め込み部材７０が便器本体１０のリム１４の内周面２７とカバー３０の垂下片３２との隙間７９を塞ぎ、段差のない連続した表面７７を形成しているため、小便等が便器本体１０のリム１４の内周面２７とカバー３０の垂下片３２との隙間７９の開口部７８付近に付着しても、拭き掃除等によって小便等を容易に除去することができる。
【００２６】
したがって、実施例１の水洗式便器は掃除を容易にすることができる。
【００２７】
また、埋め込み部材７０の表面７７と、便器本体１０のリム１４の下面２８と、カバー３０の垂下片３２の下端縁３８とは同一平面に連続して形成されているため、同時に拭き掃除することができ、小便等の汚れを容易に除去することができる。
【００２８】
＜実施例２＞
実施例２の便器は、図５に示すように、カバー３０の垂下片１３２の下端縁１３８が便器本体１０のリム１４の下面２８より下方に延びている点と埋め込み部材１７０の形態とが実施例１と相違する。他の点については、実施例１と同様であり、同一の構成は同一の符号を付して詳細な説明を省略する。
【００２９】
隙間１７９は、便器本体１０のリム１４の内周面２７とカバー３０の垂下片１３２との間を離間させて形成される。リム１４の内周面２７の下端側とカバー３０の垂下片１３２の下端側との間は下方に開放され、開口部１７８を形成している。開口部１７８は一筋状で、環状のスリット状となっている。埋め込み部材１７０は次のようにして便器本体１０のリム１４の内周面２７とカバー３０の垂下片１３２との隙間１７９に埋め込まれる。先ず、硬化前のエポキシ樹脂を便器本体１０のリム１４の内周面２７とカバー３０の垂下片１３２との隙間１７９の下端に開口した開口部１７８から注入する。次に、開口部１７８を塞いで段差のない連続した表面１７７を形成するように開口部１７８からはみ出した硬化前のエポキシ樹脂を均す。次に、エポキシ樹脂を硬化させる。このようにして埋め込み部材１７０は形成される。埋め込み部材１７０は隙間１７９の上部を満たしていない。
【００３０】
また、便器本体１０のリム１４の下面２８と埋め込み部材１７０の表面１７７との境界部（便器本体１０の側面と埋め込み部材１７０との境界部）、及びカバー３０の垂下片１３２の外周面１７６と埋め込み部材１７０の表面１７７との境界部（カバー３０の側面と埋め込み部材１７０との境界部）において、埋め込み部材１７０の表面１７７は、便器本体１０のリム１４の下面２８と、カバー３０の垂下片１３２の外周面１７６とに接するように連続している。このとき、埋め込み部材１７０の表面１７７は湾曲して窪んでいる。つまり、埋め込み部材１７０は、便器本体１０のリム１４の下面２８と、カバー３０の垂下片１３２の下端縁１３８との段差を埋めている。
【００３１】
このような構成を有する水洗式便器は、埋め込み部材１７０が便器本体１０のリム１４の内周面２７とカバー３０の垂下片１３２との隙間１７９を塞ぎ、段差のない連続した表面１７７を形成しているため、小便等が便器本体１０のリム１４の内周面２７とカバー３０の垂下片１３２との隙間１７９の開口部１７８付近に付着しても、拭き掃除等によって小便等を容易に除去することができる。
【００３２】
したがって、実施例２の水洗式便器も掃除を容易にすることができる。
【００３３】
また、埋め込み部材１７０は、便器本体１０のリム１４の下面２８と、カバー３０の垂下片１３２の下端縁１３８との段差を埋めて、接するように連続した表面１７７を形成しているため、同時に拭き掃除することができ、小便等の汚れを容易に除去することができる。
【００３４】
＜実施例３＞
実施例３の便器は、図６に示すように、便器本体１０のリム２１４の上下方向の長さと、カバー３０の垂下片２３２の上下方向の長さとが実施例１と相違する。他の点については、実施例１と同様であり、同一の構成は同一の符号を付して詳細な説明を省略する。
【００３５】
便器本体１０のリム２１４は、台座部２２４の上端から便鉢部１１内に向けて延びた平板状である。カバー３０の垂下片２３２は、便器本体１０のリム２１４の下面２２８と略同じ高さに下端縁２３８を形成している。埋め込み部材２７０は熱硬化性樹脂であるエポキシ樹脂で形成されている。
【００３６】
隙間２７９は、便器本体１０のリム２１４の内周面２２７とカバー３０の垂下片２３２との間を離間させて形成される。リム２１４の内周面２２７の下端側とカバー３０の垂下片２３２の下端側との間は下方に開放され、開口部２７８を形成している。開口部２７８は一筋状で、環状のスリット状となっている。埋め込み部材２７０は次のようにして便器本体１０のリム２１４の内周面２２７とカバー３０の垂下片２３２との隙間２７９に埋め込まれる。先ず、硬化前のエポキシ樹脂を便器本体１０のリム２１４の内周面２２７とカバー３０の垂下片２３２との隙間２７９の下端に開口した開口部２７８から注入する。次に、開口部２７８を塞いで段差のない連続した表面２７７を形成するように開口部２７８からはみ出した硬化前のエポキシ樹脂を平坦に均す。次に、エポキシ樹脂を硬化させる。このようにして埋め込み部材２７０は形成される。埋め込み部材２７０は隙間２７９の上部を満たしていない。
【００３７】
また、便器本体１０のリム２１４の下面２２８と埋め込み部材２７０の表面２７７との境界部（便器本体１０の側面と埋め込み部材２７０との境界部）、及びカバー３０の垂下片２３２の下端縁２３８と埋め込み部材２７０の表面２７７との境界部（カバー３０の側面と埋め込み部材２７０との境界部）において、埋め込み部材２７０の表面２７７は、便器本体１０のリム２１４の下面２２８、及びカバー３０の垂下片２３２の下端縁２３８に連続している。つまり、埋め込み部材２７０の表面２７７と、便器本体１０のリム２１４の下面２２８と、カバー３０の垂下片２３２の下端縁２３８とは同一平面に連続して形成されている。
【００３８】
このような構成を有する水洗式便器は、埋め込み部材２７０が便器本体１０のリム２１４の内周面２２７とカバー３０の垂下片２３２との隙間２７９を塞ぎ、段差のない連続した表面２７７を形成しているため、小便等が便器本体１０のリム２１４の内周面２２７とカバー３０の垂下片２３２との隙間２７９の開口部２７８付近に付着しても、拭き掃除等によって小便等を容易に除去することができる。
【００３９】
したがって、実施例３の水洗式便器も掃除を容易にすることができる。
【００４０】
また、埋め込み部材２７０の表面２７７と、便器本体１０のリム２１４の下面２２８と、カバー３０の垂下片２３２の下端縁２３８とは同一平面に連続して形成されているため、同時に拭き掃除することができ、小便等の汚れを容易に除去することができる。
【００４１】
＜実施例４＞
実施例４の便器は、図７に示すように、埋め込み部材３７０の形態が実施例１と相違する。他の点については、実施例１と同様であり、同一の構成は同一の符号を付して詳細な説明を省略する。
【００４２】
埋め込み部材３７０は、挿入部３７１と、係止部３７２と、被覆部３７３とを有している。挿入部３７１は、上方から見た上面視において、カバー３０の垂下片３２より僅かに大きい略楕円形状であって、上下方向に幅を有する帯状をなしている。係止部３７２は挿入部３７１の上端縁部から外側に向かって延びている。被覆部３７３は挿入部３７１の下端縁部から外側と内側に向かって夫々延びている。被服部３７３は、挿入部３７１と略直角に連結されている。
【００４３】
埋め込み部材３７０は、便器本体１０のリム１４とカバー３０の垂下片３２との隙間７９の下端に開口した開口部７８から、挿入部３７１と係止部３７２とが挿入される。このとき、埋め込み部材３７０は、被覆部３７３の上面が便器本体１０のリム１４の下面２８とカバー３０の垂下片３２の下端縁３８とに当接している。被覆部３７３の下面（埋め込み部材３７０の表面３７７）は便器本体１０のリム１４とカバー３０の垂下片３２との隙間７９の下端に開口した開口部７８を塞いでおり、段差のない連続した面で形成されている。
【００４４】
埋め込み部材３７０は柔軟性のあるゴムで形成されている。埋め込み部材３７０は、係止部３７２が、便器本体１０のリム１４と、カバー３０の垂下片３２との隙間７９に弾性変形しつつ挿入されており、係止部３７２の復元力によって固定されているため脱落しない。また、埋め込み部材３７０は、便器本体１０のリム１４と、カバー３０の垂下片３２との隙間７９に着脱可能である。
【００４５】
このような構成を有する水洗式便器は、埋め込み部材３７０が便器本体１０のリム１４の内周面２７とカバー３０の垂下片３２との隙間７９を段差のない連続した表面３７７で覆っているため、小便等が便器本体１０のリム１４の内周面２７とカバー３０の垂下片３２との隙間７９の開口部７８付近に付着しても、拭き掃除等によって小便等を容易に除去することができる。
【００４６】
したがって、実施例４の水洗式便器も掃除を容易にすることができる。
【００４７】
また、埋め込み部材３７０の表面３７７（被覆部３７３の下面）は段差がなく連続しているため、同時に拭き掃除することができ、小便等の汚れを容易に除去することができる。
【００４８】
＜実施例５＞
実施例５の便器は、図８に示すように、カバー３０の垂下片１３２の下端縁１３８が便器本体１０のリム１４の下面２８より下方に延びている点と、埋め込み部材４７０の形態とが実施例１または実施例４と相違する。他の点については、実施例１または実施例４と同様であり、同一の構成は同一の符号を付して詳細な説明を省略する。
【００４９】
埋め込み部材４７０は、挿入部４７１と、係止部４７２と、被覆部４７３とを有している。挿入部４７１は、上方から見た上面視において、カバー３０の垂下片１３２より僅かに大きい略楕円形状であって、上下方向に幅を有する帯状をなしている。係止部４７２は挿入部４７１の上端縁部から外側に向かって延びている。被覆部４７３は挿入部４７１の下端縁部から外側に向かって延びている。被服部４７３は挿入部４７１と略直角に連結されている。
【００５０】
隙間１７９は、便器本体１０のリム１４の内周面２７とカバー３０の垂下片１３２との間を離間させて形成される。リム１４の内周面２７の下端側とカバー３０の垂下片１３２の下端側との間は下方に開放され、開口部１７８を形成している。開口部１７８は一筋状で、環状のスリット状となっている。埋め込み部材４７０は、便器本体１０のリム１４とカバー３０の垂下片１３２との隙間１７９の下端に開口した開口部１７８から、挿入部４７１と係止部４７２とが挿入される。このとき、埋め込み部材４７０は、被覆部４７３の上面と便器本体１０のリム１４の下面２８とが当接している。また、挿入部４７１の側面４７５とカバー３０の垂下片１３２の外周面１７６とが当接している。被覆部４７３の下面（埋め込み部材４７０の表面４７７）は便器本体１０のリム１４とカバー３０の垂下片１３２との隙間１７９の下端に開口した開口部１７８を塞いでおり、段差のない連続した面で形成されている。埋め込み部材４７０は隙間１７９の上部を満たしていない。
【００５１】
埋め込み部材４７０は柔軟性のあるゴムで形成されている。埋め込み部材４７０は、係止部４７２が、便器本体１０のリム１４と、カバー３０の垂下片１３２との隙間１７９に弾性変形しつつ挿入されており、係止部４７２の復元力によって固定されているため脱落しない。また、埋め込み部材４７０は、便器本体１０のリム１４と、カバー３０の垂下片１３２との隙間１７９に着脱可能である。
【００５２】
このような構成を有する水洗式便器は、埋め込み部材４７０が便器本体１０のリム１４の内周面２７とカバー３０の垂下片１３２との隙間１７９を段差のない連続した表面４７７で覆っているため、小便等が便器本体１０のリム１４の内周面２７とカバー３０の垂下片１３２との隙間１７９の開口部１７８付近に付着しても、拭き掃除等によって小便等を容易に除去することができる。
【００５３】
したがって、実施例５の水洗式便器も掃除を容易にすることができる。
【００５４】
また、埋め込み部材４７０の表面４７７（被覆部４７３の下面）は段差なく連続しているため、同時に拭き掃除することができ、小便等の汚れを容易に除去することができる。
【００５５】
本発明は上記記述及び図面によって説明した実施例に限定されるものではなく、例えば次のような実施例も本発明の技術的範囲に含まれる。
（１）実施例１では、埋め込み部材の表面は平坦だが、便器本体のリムの下面と、カバーの垂下片の下端縁との間を連続して塞いでいれば、下方へ膨らんでいてもよい。
（２）実施例１では、埋め込み部材の表面は平坦だが、便器本体のリムの下面と、カバーの垂下片の下端縁との間を連続して塞いでいれば上方に窪んでいてもよい。
（３）実施例２では、埋め込み部材の表面は湾曲して窪んでいるが、便器本体のリムの下面と、カバーの垂下片の下端縁との間を連続して塞いでいれば、膨らんでいてもよい。
（４）実施例４及び実施例５では、埋め込み部材は着脱可能であるが、着脱可能でなくてもよい。
（５）実施例１〜実施例５では、カバーの垂下片の下端縁は、便器本体のリムの下面と同一面、もしくは下方に位置しているが、カバーの垂下片の下端縁は、便器本体のリムの下面より上方に位置してもよい。
（６）実施例４及び実施例５では、埋め込み部材の係止部は、便器本体のリムの内周面に向かって延びているが、カバーの垂下片に向かって延びていてもよい。
（７）実施例１〜実施例５では、カバーの垂下片を有しているが、カバーの垂下片を有していなくてもよく、このとき、カバーの上面と便器本体のリムとの隙間に埋め込み部材を埋め込んでもよい。
（８）実施例１では、水洗式便器であったが、水洗式でなくてもよい。
（９）実施例１では、カバーと便座とは別であったが、カバーの上面部が便座となっていてもよい。
（１０）実施例１〜実施例５では、便器本体のリムとカバーの垂下片との開口部は環状であったが、環状でなくてもよい。
【符号の説明】
【００５６】
１１…便鉢部
１０…便器本体
２８、２２８…（リムの）下面
３０…カバー
３８、１３８、２３８…（垂下片の）下端縁
７０、１７０、２７０、３７０、４７０…埋め込み部材
７７、１７７、２７７、３７７、４７７…（埋め込み部材の）表面
７８、１７８、２７８…開口部
７９、１７９、２７９…隙間
３７１、４７１…挿入部
３７２、４７２…係止部
３７３、４７３…被覆部
【図１】
2015224532.tif 000003
【図２】
2015224532.tif 000004
【図３】
2015224532.tif 000005
【図４】
2015224532.tif 000006
【図５】
2015224532.tif 000007
【図６】
2015224532.tif 000008
【図７】
2015224532.tif 000009
【図８】
2015224532.tif 000010